(57)【要約】      （修正有）【課題】金属プレートに開けた穴に線香を挿入して線香を立てた際に燃焼部分が線香を保持している部分に達しても火が消えることなく下方に向かって燃え続ける線香立てプレートを提供する。【解決手段】線香５を保持する部分が点による接触となる穴を有するプレートにより燃え残りしない線香立てを構成している。線香を線香立てプレート２の挿入穴に立て使用した場合、金属プレートの穴の内側が多数の尖った形状の先端で線香が保持され燃焼部分が保持部に達しても極小さな点による接触となるので金属プレートに熱を奪われず燃焼を続けることができる。【選択図】図１
2016059750.tif 000002
【特許請求の範囲】
【請求項１】
複数の線香挿入穴を有し、前記線香挿入穴は内周に多数の小さな尖った形状のギザギザ部を備える線香立て用プレート。
【請求項２】
請求項１の線香立て用プレートと前期線香立プレートを支持する支え軸等を備える線香立て。
【発明の詳細な説明】
【技術分野】
【０００１】
本発明は、線香を立てる際に線香を保持するために使用する線香立てプレートに関するものである。
【背景技術】
【０００２】
従来の線香立ては鉢と灰で構成されている。
【０００３】
しかし線香を灰へ差し込んで灰により線香を保持し立たせた場合、灰に埋め込まれた部分が燃え残るあるいは灰への挿入が不完全であると線香が倒れるという欠点があった。
【０００４】
線香が倒れずかつ燃え尽きるように灰を置く代わりに金網を用いた場合の線香立てにおいては特許文献１に挙げる線香焚き用中置き網が開示されている。
また２本の線材を組み合わせた線香立てについて特許文献２に掲げる線香立て用用網目状プレートが開示されている。
【０００５】
簡単な方式として線香立ての灰を置く代わりに複数の穴が開いた金属プレートであるパンチングメタルを線香立て容器の底より少し浮かしそのパンチングメタルの穴に線香を挿入すれば線香は倒れることなく立てておける。
【０００６】
しかし線香の燃焼部分がパンチングメタルの穴に達すると内周に接触した部分が線香の熱を奪い冷却されるため火は消えパンチングメタルより下方には燃えて行かず線香の燃え滓が残った。
【先行技術文献】
【特許文献】
【０００７】
【特許文献１】特開２０００−１７５８０４号公報
【特許文献２】特開２０１２−２４８８０６号公報
【発明の概要】
【発明が解決しようとする課題】
【０００８】
本発明は、以上のような従来の欠点に鑑み、金属プレートに開けた穴に線香を挿入して線香を立てた際に燃焼部分が線香を保持している部分に達しても火が消えることなく下方に向かって燃え続ける線香立てプレートを提供する事を目的としている。
【課題を解決するための手段】
【０００９】
上記目的を達成するために、本発明は金属プレートに開けた穴の内側が多数の尖った形状にすることで線香立てプレートを構成している。
【００１０】
線香を本発明の線香立てプレートの挿入穴に立て使用した場合、金属プレートの穴の内側が多数の尖った形状の先端で線香が保持され燃焼部分が保持部に達しても極小さな点による接触となるので金属プレートに熱を奪われず燃焼を続けることができる。
【発明の効果】
【００１１】
以上の説明から明らかなように、本発明にあっては次に列挙する効果が得られる。
（１）本発明による金属プレートを使用して線香を立てた場合、線香を確実に保持でき、線香の燃焼部分が保持部に達しても下方に向かって燃焼を続けることが可能となった。
【００１２】
（２）金属プレートが０．２ｍｍなど出来るだけ薄い方が線香の接触している部分から熱を奪われにくく消えにくいが本発明により厚さが０．５ｍｍ以上の丈夫な金属プレートを使用しても線香の燃焼部分が保持部に達しても線香が下方に向かって燃焼し続けることが可能となった。
【００１３】
（３）本発明による金属プレートの下に特許文献１で示されるような線径及び網目が細い金網を置く事により線香の燃焼部分が保持部より下方に向かって行き線香の支えが無くなって線香が倒れても細い金網の上で燃焼し滓を残すことなく線香はすべて灰となった。
【００１４】
（４）線香を立てる際に灰を使用せず金属プレートに開いた穴により保持されるのでより確実な線香の倒れ防止となった。
【図面の簡単な説明】
【００１５】
【図１】本発明の線香立てプレートを上下に線香立ての容器１の内部に配置した斜視図であり構造を説明するため破断した容器となっている。
【図２】本発明の線香立てプレートの平面図であり線香挿入穴６の内周はギザギザ部７となっている。
【図３】図２の線香挿入穴６の拡大平面図である。
【図４】図３のギザギザ部７の拡大平面図であり小さく尖った形が並んでおり便箋上ギザギザと呼称している。
【図５】図４のＡ−Ａ断面図である。
【図６】図５のＢ−Ｂ断面図である。
【発明を実施するための形態】
【００１６】
以下、本発明の実施の形態を図に基づいて説明する。
【実施例】
【００１７】
図１は、本発明の線香立てプレートを用いた線香立ての実施例の斜視図である。
容器１の内部に線香立てプレート２が上下に配置され下には灰落とし網がありスペーサ４により支えらており線香５が線香立てプレートに差し込まれている。    
【００１８】
図２は本発明の線香立てプレートの平面図であり線香挿入穴６に線香５が差し込まれている。
【００１９】
図３は図２の線香挿入穴６を拡大した平面図であり線香５は挿入穴の内周にあるギザギザ部７によって支えられて立っている。
【００２０】
図４はギザギザ部７を拡大した平面図であり線香はこのギザギザ部の鋭く尖った部分により支えられる事となり線香を保持する部分が極小さな点によるものとなる。このギザギザ部は直径約１．９ｍｍの線香を尖った先と先までの距離が約０．３ｍｍの小さな突起の並びで支えている。
【００２１】
図５及び図６は図４に示すギザギザ部７の断面Ａ−Ａ及び断面Ｂ−Ｂでありいずれも鋭く尖っている形状である。
【００２２】
図１の線香５を焚くと線香は上から下へと燃焼し線香立てプレート２に達する。線香立てプレートにある線香を保持している部分は図４から図６で示したように鋭く尖った形状であるため極小さな点で線香を支えていることとなり燃焼部分がプレートのギザギザ部７に達してもプレートに熱を奪われずに燃焼を続けることができる。
【００２３】
燃焼が続く線香は火が消えることなく上下の線香立てプレートを通り抜け短くなった線香が灰落とし網３に倒れ線径及び網目が細い金網の上ですべて灰になるまで燃焼する。
【００２４】
本発明の実施の実験は線香の直径１．９５ｍｍを使用した。表１にその実験の結果を示す。
表１に示すようにステンレス板の厚さ０．５ｍｍ  線幅０．４ｍｍのギザギザ無しの線香立てプレートを使用し線香を立て１０回の燃焼実験を行った結果はすべて挿入穴で消え線香がプレートより下方に燃焼しなかった。
次にステンレス板の厚さ０．２３ｍｍ  線幅０．２ｍｍのギザギザ無しの線香立てプレートを使用し線香を立てた場合１０回中７回はプレートより下に燃焼を継続することが出来た。
ステンレス板の厚さ０．５ｍｍをエッチング処理によって図４で示すギザギザ部を作成した本発明の線香立てプレートを使用し線香を立てた結果１０回中すべてプレートより下に燃焼を継続することが出来た。
以上の実験結果により図４で示すギザギザ形状が線香の燃焼部分が保持部より下方に向かって燃焼を継続できる結果が得られた。
【００２５】
【表１】
2016059750.tif 000003
【産業上の利用可能性】
【００２６】
本発明は宗教行事において線香を立てる用途において適用できる。
また、香炉の内部にも利用できる。
【符号の説明】
【００２７】
１    容器
２    線香立て用プレート
３    灰落とし網
４    支え軸
５    線香
６    線香挿入穴
７    ギザギザ部
【図１】
2016059750.tif 000004
【図２】
2016059750.tif 000005
【図３】
2016059750.tif 000006
【図４】
2016059750.tif 000007
【図５】
2016059750.tif 000008
【図６】
2016059750.tif 000009